(57)【特許請求の範囲】
【請求項１】
二つ以上のパネルが連結されて大画面を具現するマルチディスプレイ装置において、
前記二つ以上のパネルのうちの二つのパネルは、基板上のディスプレイ素子の画素境界面同士が発光方向から見て重なるように互いに段付けられて配置され、
前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、
前記二つのパネルのうち一つは、前記薄膜封止層を備える上向き発光型パネルであり、他の一つは、前記ディスプレイ素子をカバーガラスで覆う上向き発光型パネルであって、前記カバーガラスを有するパネルの基板が前記薄膜封止層と隣接することを特徴とするマルチディスプレイ装置。
【請求項２】
二つ以上のパネルが連結されて大画面を具現するマルチディスプレイ装置において、
前記二つ以上のパネルのうちの二つのパネルは、基板上のディスプレイ素子の画素境界面同士が発光方向から見て重なるように互いに段付けられて配置され、
前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、
前記二つのパネルのうち一つは、前記薄膜封止層を備える上向き発光型パネルであり、他の一つは、前記ディスプレイ素子をカバーガラスで覆う上向き発光型パネルであって、前記カバーガラスを有するパネルの基板が前記薄膜封止層と隣接し、前記段付けられた二つのパネル間の段差を形成する基板の一部がエッチングされたことを特徴とするマルチディスプレイ装置。
【請求項３】
二つ以上のパネルが連結されて大画面を具現するマルチディスプレイ装置において、
前記二つ以上のパネルのうちの二つのパネルは、基板上のディスプレイ素子の画素境界面同士が発光方向から見て重なるように互いに段付けられて配置され、
前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、
前記二つのパネルがいずれも前記薄膜封止層を備え、一つは上向き発光型であり、他の一つは下向き発光型であって、その薄膜封止層同士が隣接するように配置されたことを特徴とするマルチディスプレイ装置。
【請求項４】
二つ以上のパネルが連結されて大画面を具現するマルチディスプレイ装置において、
前記二つ以上のパネルのうちの二つのパネルは、基板上のディスプレイ素子の画素境界面同士が発光方向から見て重なるように互いに段付けられて配置され、
前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、
前記二つのパネルのうち一つは、前記薄膜封止層を備える下向き発光型パネルであり、他の一つは、前記ディスプレイ素子をカバーガラスで覆う下向き発光型パネルであって、前記カバーガラスを有するパネルの基板が前記薄膜封止層と隣接し、前記カバーガラスを有するパネルの基板の全面がエッチングされたことを特徴とするマルチディスプレイ装置。
【請求項５】
二つ以上のパネルが連結されて大画面を具現するマルチディスプレイ装置において、
前記二つ以上のパネルのうちの二つのパネルは、基板上のディスプレイ素子の画素境界面同士が発光方向から見て重なるように互いに段付けられて配置され、
前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、
前記二つのパネルのうち一つは、前記薄膜封止層を備える下向き発光型パネルであり、他の一つは、前記ディスプレイ素子をカバーガラスで覆う下向き発光型パネルであって、前記カバーガラスを有するパネルの基板が前記薄膜封止層と隣接し、前記カバーガラスを有するパネルの基板のうち前記段付けられた二つのパネル間の段差を形成する部位がエッチングされたことを特徴とするマルチディスプレイ装置。
【請求項６】
二つ以上のパネルが連結されて大画面を具現するマルチディスプレイ装置において、
前記二つ以上のパネルのうちの二つのパネルは、基板上のディスプレイ素子の画素境界面同士が発光方向から見て重なるように互いに段付けられて配置され、
前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、
前記二つのパネルがいずれも前記薄膜封止層を備える上向き発光型であって、上部に位置するパネルの基板が下部に位置するパネルの薄膜封止層と隣接するように配置され、前記上部に位置するパネルの基板のうち前記段付けられた二つのパネル間の段差を形成する部位がエッチングされたことを特徴とするマルチディスプレイ装置。
【請求項７】
二つ以上のパネルが連結されて大画面を具現するマルチディスプレイ装置において、
前記二つ以上のパネルのうちの二つのパネルは、基板上のディスプレイ素子の画素境界面同士が発光方向から見て重なるように互いに段付けられて配置され、
前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、
前記二つのパネルがいずれも前記薄膜封止層を備える下向き発光型であって、下部に位置するパネルの基板が上部に位置するパネルの薄膜封止層と隣接するように配置され、前記下部に位置するパネルの基板のうち前記段付けられた二つのパネル間の段差を形成する部位がエッチングされたことを特徴とするマルチディスプレイ装置。
【請求項８】
二つ以上のパネルが連結されて大画面を具現するマルチディスプレイ装置において、
前記二つ以上のパネルのうちの二つのパネルは、基板上のディスプレイ素子の画素境界面同士が発光方向から見て重なるように互いに段付けられて配置され、
前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、
前記二つのパネルがいずれも前記薄膜封止層を備える下向き発光型であって、下部に位置するパネルの基板が上部に位置するパネルの薄膜封止層と隣接するように配置され、前記下部に位置するパネルの基板の全面がエッチングされたことを特徴とするマルチディスプレイ装置。
【請求項９】
前記段付けられた二つのパネルのうち低い側には、上面高を合わせるための補強部材が設置されることを特徴とする請求項１から８のいずれかに記載のマルチディスプレイ装置。
【請求項１０】
前記補強部材は、透明プラスチックであることを特徴とする請求項９に記載のマルチディスプレイ装置。
【請求項１１】
前記無機物層に使われた無機物は、窒化物、酸化物及び炭化物のうち選択されたいずれか一つを含むことを特徴とする請求項１から１０のいずれかに記載のマルチディスプレイ装置。
【請求項１２】
前記有機物層は、ポリウレアやポリアクリレートのように柔軟性を有する有機物のうち選択されたいずれか一つを蒸着して形成されたことを特徴とする請求項１から１１のいずれかに記載のマルチディスプレイ装置。
【請求項１３】
前記ディスプレイ素子は、ＬＣＤ、ＦＥＤ、ＯＬＥＤ、ＰＤＰのうちいずれか一つであることを特徴とする請求項１から１２のいずれかに記載のマルチディスプレイ装置。
【請求項１４】
第１基板及び第１ディスプレイ素子を備えた第１パネルと、
第２基板、第２ディスプレイ素子、及び前記第２ディスプレイ素子を覆う有機物層と無機物層とを備えた薄膜封止層を備えた第２パネルと、を有し、
前記第１及び第２パネルは、前記第２パネルの薄膜封止層が前記第１パネルと対面して接触するように部分的にオーバーラップされ、
前記第１基板は、第１及び第２ディスプレイ素子間の離隔距離を短縮するようにエッチングされ、前記第１基板のエッチング部は、実質的にＬ型断面に形成されて前記第２パネルのエッジ部を収容することを特徴とするマルチディスプレイ装置。
【請求項１５】
第１基板及び第１ディスプレイ素子を備えた第１パネルと、
第２基板、第２ディスプレイ素子、及び前記第２ディスプレイ素子を覆う有機物層と無機物層とを備えた薄膜封止層を備えた第２パネルと、を有し、
前記第１及び第２パネルは、前記第２パネルの薄膜封止層が前記第１パネルと対面して接触するように部分的にオーバーラップされ、
前記薄膜封止層は、前記第１基板に接触され、前記第１基板は、前記第２基板より薄くなるようにエッチングされたことを特徴とするマルチディスプレイ装置。
【発明の詳細な説明】
【技術分野】
【０００１】
本発明は、複数のパネルが連結されて画面を具現するマルチディスプレイ装置に係り、特に継ぎ目での画面断絶感を最小化できるように改善されたマルチディスプレイ装置に関する。
【背景技術】
【０００２】
一般的に、マルチディスプレイ装置は、複数個のディスプレイパネルを連結して大画面を具現した装置をいう。初期には、展示用大型ＴＶのようにブラウン管を複数個連結して大画面を形成するものから始まったが、最近は、携帯電話やＰＤＡ（Ｐｅｒｓｏｎａｌ  Ｄｉｇｉｔａｌ  Ａｓｓｉｓｔａｎｔｓ）のような小型携帯装置でも大きい画面に対する要求が増加しつつあり、ＬＣＤ（Ｌｉｑｕｉｄ  Ｃｒｙｓｔａｌ  Ｄｉｓｐｌａｙ）、ＦＥＤ（Ｆｉｅｌｄ  Ｅｍｉｓｓｉｏｎ  Ｄｉｓｐｌａｙ）、ＰＤＰ（Ｐｌａｓｍａ  Ｄｉｓｐｌａｙ  Ｐａｎｅｌ）、ＯＬＥＤ（Ｏｒｇａｎｉｃ  Ｌｉｇｈｔ−Ｅｍｉｔｔｉｎｇ  Ｄｉｏｄｅ）などの平板ディスプレイパネルを連結して大画面を具現した装置が出ている。
【０００３】
既存には、かかるマルチディスプレイ装置を形成するとき、図１に示したように単位パネル１０を平行に連結して形成することが最も一般的な方式であった。すなわち、複数個の単位パネル１０を準備して、図１のように平行に連結されたマルチ画面を具現するものである。しかし、このように単位パネル１０を連結すれば、二つのパネル１０間の継ぎ目で画像が自然に連結されずに切れた感じを与えうる。すなわち、平板ディスプレイパネルは、図１に概略的に示したように、基板ガラス１１上に画素を形成するディスプレイ素子１２を装着し、その上にカバーガラス１３を付けて密封する構造を有しているが、基本的にガラス１１，１３の枠厚ｔがあり、また、ディスプレイ素子１２は、それよりさらに内側に配置されているため、継ぎ目で二つのパネル１０間に画面が切れる実際距離は、ｗほどとなる。しかし、この距離ｗは、ディスプレイ素子１２をカバーガラス１３で安全に覆って保護するのに必要な距離であって、容易に減らすことができないため、かかる並列式連結構造は、継ぎ目での画面断絶感を改善するのに限界を有している。
【０００４】
かかる問題を解消するために、図２に示したように、二つの単位パネルである第１及び第２パネル２１，２２を、段差を付けて上下に配置して、二つのパネル２１，２２間の画素境界面を合わせる構造が提案されたことがある。すなわち、第１及び第２パネル２１，２２を図２のように上下に段付けして配置し、第１パネル２１の右側画素の境界面と第２パネル２２の左側画素の境界面とを同一垂直線Ｌ上に一致させることによって、継ぎ目で二つのパネル２１，２２にかけられる画面の断絶感を最小化させたものである。これにより、二つのパネル２１，２２に映し出される画面が上から見た時に連続しているかのように見える。
【０００５】
しかし、このように上下にパネル２１，２２を配置すれば、継ぎ目での画面の連続性を確保するのには有利であるが、二つのパネル２１，２２間の高低差が大きくなって連続した画像でも遠近感の差が生じうる。すなわち、ディスプレイ素子２１ｂ，２２ｂから発光された光が目に達する距離が高低差ほど互いに変わるため、その高低差が大きくなるほど、ユーザーは遠近感による画面の不自然さを感じうる。ここでは、カバー２１ｃ，２２ｃ側に発光される上向き発光型場合を例示したが、基板２１ａ，２２ａ側に発光される下向き発光型場合も同様な高低差が発生する。しかも、前記で例示したマルチディスプレイ装置は、携帯の便宜性のために二つのパネルをヒンジで連結したフォルダ型構造で形成されることがほとんどである。すなわち、携帯時には、二つのパネルが重なるように折っていて、必要時に図１や図２のように一つの画面となるように広げて使用可能にしたものである。したがって、分離された二つのパネルが広がりつつ一つの画面をなすように形成された構成であるため、図２のような上下積層式構造を形成するとき、どんなに機構的な寸法をよく合わせたとしても、二つのパネル間には、図３のようなエアーギャップＧが存在する。したがって、遠近感もさらに大きくなる。
【０００６】
したがって、製品の競争力を確保するためには、継ぎ目での画面断絶感を克服し、かつ遠近感による画面の不自然さも緩和させるマルチディスプレイ装置が要求されている。
【発明の開示】
【発明が解決しようとする課題】
【０００７】
本発明の目的は、前記の必要性に鑑みてなされたものであって、継ぎ目での画面の断絶感や隣接パネル間の画面の遠近感を同時に緩和させるマルチディスプレイ装置を提供するところにある。
【課題を解決するための手段】
【０００８】
前記目的を達成するための本発明は、二つ以上のパネルが連結されて大画面を具現するマルチディスプレイ装置において、前記二つ以上のパネルのうちの二つのパネルは、基板上のディスプレイ素子の画素境界面同士が重なるように互いに段付けられて配置され、前記二つのパネルのうち少なくとも一つは、有機物層と無機物層との積層体で前記ディスプレイ素子を覆う薄膜封止層を備え、その薄膜封止層が前記段付けられた二つのパネル間の隣接面に配置され、前記二つのパネルのうち一つは、前記薄膜封止層を備える上向き発光型パネルであり、他の一つは、前記ディスプレイ素子をカバーガラスで覆う上向き発光型パネルであって、前記カバーガラスを有するパネルの基板が前記薄膜封止層と隣接することを特徴とする。
【発明の効果】
【０００９】
本発明のマルチディスプレイ装置は、パネル間の継ぎ目での画面断絶感を改善するだけでなく、パネル間の段差による遠近感も緩和させて、さらに自然な連結画面を具現できる。
【発明を実施するための最良の形態】
【００１０】
以下、図面を参照して本発明を詳細に説明する。
【００１１】
図４Ａないし図５は、本発明の第１実施形態によるマルチディスプレイ装置を示す図面である。マルチディスプレイ装置は、複数個のパネルを多様な方法で連結して形成できるが、ここでは説明の便宜のために、二つの単位パネル１１０，１２０のみを連結する場合を例として説明する。そして、画像を具現するディスプレイ素子１１２，１２２は簡略化して示す。
【００１２】
まず、二つのパネルのうち、発光方向を基準として上部に位置するパネル１１０は、既存のように基板１１１上に画像具現のためのディスプレイ素子１１２がそれらの画素境界面同士が重なるように互いに段付けられて積層され、それをカバーガラス１１３が覆って保護する構造になっている。しかし、下部に位置する他のパネル１２０は、基板１２１に薄膜封止層１２３が積層されて、ディスプレイ素子１２２をその薄膜封止層１２３内に埋め込んで保護する本体構造を有している。すなわち、既存のようにカバーガラスでディスプレイ素子１２２を覆って保護するものではなく、２つのパネル１１０、１２０間の隣接面に有機物層１２３ａと無機物層１２３ｂとがミクロン単位で反復積層された薄膜封止層１２３で素子１２２を保護するものである。前記有機物層１２３ａは、２つのパネル１１０、１２０間の隣接面に配置され、ポリウレアやポリアクリレートのように柔軟性を有した有機物を蒸着して約０．０１ないし１０μｍの厚さに形成し、無機物層１２３ｂは、ＳｉＮｘ，Ａｌ２Ｏ３，ＳｉＯ２，ＴｉＯ２のように防湿能力が優秀な無機物を蒸着して約０．００１ないし１μｍの厚さに形成する。かかる薄膜封止層１２３は、有機物層１２３ａと無機物層１２３ｂとを複数回反復して積層しても、その全体厚さが数十μｍほどに過ぎない。したがって、最小１ｍｍ厚さのカバーガラス１１３を使用する既存の場合に比べれば、二つのパネル１１０，１２０を段付けして配置しても、パネル間の高低差は大幅減少する。これにより、二つのパネル１１０，１２０にかけられる画像の連結も滑らかになるだけでなく、遠近感の偏差も改善されて、さらに自然な画像を具現できる。
【００１３】
参照符号１３０は、二つのパネル１００間の上面高を合わせるための補強部材である透明プラスチックを表す。そして、かかる二つのパネル１１０，１２０が図５に示したようにヒンジ軸Ｈを中心に折って開けるフォルディングタイプに連結されてマルチ画面をなし、開けた時に図４のように二つのパネル１１０，１２０が段付けられて配置される。
【００１４】
マルチディスプレイ装置を製造する場合には、パネル１１０の基板１１１上にディスプレイ素子１１２を配置し、パネル１２０の基板１２１上にディスプレイ素子１２２を配置に、ディスプレイ素子１２２を薄膜封止層１２３で覆い、パネル１１０及びパネル１２０を部分的にオーバーラップさせ、パネル１２０の薄膜封止層１２３をパネル１１０と対面して接触させる。
【００１５】
次いで、図６Ａ及び図６Ｂは、本発明の第２実施形態によるマルチディスプレイ装置を示す図面である。本実施形態では、基本的に前述した第１実施形態と同様であって、カバーガラス１１３を使用するパネル１１０と、薄膜封止層１２３を使用したパネル１２０とを連結して高低差を減らす形態を同一に備えている。ただし、ここでは、その高低差をさらに減らすように、既存構造のパネル１１０のうち薄膜封止層１２３と隣接する面を一部エッチングした点に特徴がある。これにより、二つのパネル１１０，１２０を段付けて配置するとき、そのエッチング部１１１ａに薄膜封止層１２３の一部が入ることができるので、高低差をさらに減らすことができる。ここで、前記エッチング部１１１ａは、単位パネル１２０のエッジ部が収容されるようにＬ型断面に形成される。
【００１６】
その他の各パネルの基本構造及び透明プラスチック１３０の機能は、前述した第１実施形態と同一である。したがって、本実施形態の場合も、二つのパネルの高低差を減らして遠近感を解消するのに効果的である。
【００１７】
図７は、本発明の第３実施形態によるマルチディスプレイパネルを示す図面である。本実施形態は、二つのパネル１２０をいずれも薄膜封止層１２３が形成された構造で形成して連結した点に特徴がある。すなわち、前述した第１及び第２実施形態は、二つのパネルのうち一つのみが薄膜封止層１２３の形成された構造になっているが、本実施形態では、二つのパネル１２０がいずれも薄膜封止層１２３によってディスプレイ素子１２２を埋め込んで保護する構造になっている。もちろん、これは、二つのパネル１２０間の高低差をさらに減らすためのものであって、数十μｍほどの薄膜封止層１２３同士が隣接するように二つのパネル１２０を配置することによって、段差を有してもその高低差を減らすことができる。ただし、この場合には、上部に位置するパネル（図７の左側パネル）の薄膜封止層１２３が底部に位置するため、基板１２１側に発光されるタイプのパネルを使用せねばならない。その他のパネルの基本構造及び透明プラスチック１３０の機能は、前述した第１実施形態で説明した通りである。
【００１８】
したがって、かかる構造によれば、数十μｍ厚さの薄膜封止層１２３同士を接して段付けるので、既存に比べて高低差を大きく減らし、したがって、自然な大画面を具現できる。
【００１９】
そして、前記で例示した実施形態を組み合わせれば、さらに多様な構造を形成できる。組み合わせ具現が可能な例を説明すれば、次の通りである。
【００２０】
図８は、図４に示した構造をひっくり返した形態であって、上部に位置する左側のパネル１２０は、基板１２１上のディスプレイ素子１２２を薄膜封止層１２３で保護する構造で形成し、下部に位置する右側パネル１１０は、基板１１１上のディスプレイ素子１１２をカバーガラス１１３で保護する構造で形成したものである。ここでは、いずれも基板側に発光されるタイプ（以下、基板側に発光するタイプを下向き発光型といい、その逆方向に発光するタイプを上向き発光型という）のパネルであって、透明プラスチック１３０で上面高を合わせている。そして、下部に位置するパネル１１０の基板１１１の全面をエッチングしてその厚さを減らすことによって、パネル間の高低差をさらに減らしている。
【００２１】
図９は、前述した図８の構造とほぼ類似した形態であるが、ただし、下部に位置する右側パネル１１０の基板１１１を全面エッチングしたものではなく、段差を形成する部位のみを部分エッチングして高低差を減らす構造を例示したものである。
【００２２】
図１０は、図７に示した実施形態のように、二つのパネル１２０をいずれも基板１２１上のディスプレイ素子１２２を薄膜封止層１２３で保護する構造で形成したことを例示したものであるが、ここでは、両側がいずれも薄膜封止層１２３側に発光される上向き発光型を連結した構造を例示している。そして、高低差を減らすために、上部に位置する左側パネルの基板を部分エッチングした構造を採択したものである。
【００２３】
図１１は、図１０の構造をひっくり返した形態であって、ここでは、下部に位置する右側パネルの基板を部分エッチングして高低差を減らす構造を示す図面である。
【００２４】
図１２は、図１１と同じ構造であるが、右側パネルの基板を部分エッチングしたものではなく、全面エッチングして高低差を減らした構造を例示したものである。
【００２５】
このように、色々な実施形態を組み合わせて多様な変形構造を形成することもできる。
【００２６】
一方、ここで記述されたディスプレイ素子１２０としては、ＬＣＤ、ＦＥＤ、ＰＤＰ、ＯＬＥＤのような平板ディスプレイ用素子がいずれも該当しうる。
【産業上の利用可能性】
【００２７】
本発明は、マルチディスプレイ装置関連の技術分野に適用可能である。
【図面の簡単な説明】
【００２８】
【図１】従来のマルチディスプレイ装置の一例を示す断面図である。
【図２】従来のマルチディスプレイ装置の他の例を示す断面図である。
【図３】図２の構造で単位パネルの間に形成されたエアーギャップを拡大して示す図面である。
【図４Ａ】本発明の第１実施形態によるマルチディスプレイ装置を示す図面である。
【図４Ｂ】本発明の第１実施形態によるマルチディスプレイ装置を示す図面である。
【図５】本発明の第１実施形態によるマルチディスプレイ装置を示す図面である。
【図６Ａ】本発明の第２実施形態によるマルチディスプレイ装置を示す図面である。
【図６Ｂ】本発明の第２実施形態によるマルチディスプレイ装置を示す図面である。
【図７】本発明の第３実施形態によるマルチディスプレイ装置を示す図面である。
【図８】図４ないし図７に示した実施形態を組み合わせて具現できる変形例を示す図面である。
【図９】図４ないし図７に示した実施形態を組み合わせて具現できる変形例を示す図面である。
【図１０】図４ないし図７に示した実施形態を組み合わせて具現できる変形例を示す図面である。
【図１１】図４ないし図７に示した実施形態を組み合わせて具現できる変形例を示す図面である。
【図１２】図４ないし図７に示した実施形態を組み合わせて具現できる変形例を示す図面である。
【符号の説明】
【００２９】
１１０、１２０  単位パネル、
１１１、１２１  基板、
１１２、１２２  ディスプレイ素子、
１１３  カバーガラス、
１２３  薄膜封止層、
１２３ａ  有機物層、
１２３ｂ  無機物層、
１３０  透明プラスチック。
【図１】
0005652803.tif 000002
【図２】
0005652803.tif 000003
【図３】
0005652803.tif 000004
【図４Ａ】
0005652803.tif 000005
【図４Ｂ】
0005652803.tif 000006
【図５】
0005652803.tif 000007
【図６Ａ】
0005652803.tif 000008
【図６Ｂ】
0005652803.tif 000009
【図７】
0005652803.tif 000010
【図８】
0005652803.tif 000011
【図９】
0005652803.tif 000012
【図１０】
0005652803.tif 000013
【図１１】
0005652803.tif 000014
【図１２】
0005652803.tif 000015